(57)【要約】【課題】断熱性に優れ、軽量であるとともに、透光性、審美性、強度も優れた多層構造体の製造方法などを提供する。【解決手段】この発明の層構造体１の製造方法は、透光性を有する３枚以上の基材１１を、各基材１１間に配置された複数の樹脂製スペーサ１２によって、基材１１間に前記樹脂製スペーサ１２の厚みの空間を形成するように積層するとともに、各樹脂製スペーサ１２を他の基材１１間の樹脂製スペーサ１２と基材１１の積層方向に重ね合わせるよう配置することを特徴とする。【選択図】図２
2008080783.tif 000002
【特許請求の範囲】
【請求項１】
透光性を有する３枚以上の基材を、各基材間に配置された複数の樹脂製スペーサによって、基材間に前記樹脂製スペーサの厚みの空間を形成するように積層するとともに、各樹脂製スペーサを他の基材間の樹脂製スペーサと基材の積層方向に重ね合わせるよう配置することを特徴とする多層構造体の製造方法。
【請求項２】
基材上の樹脂製スペーサ形成位置にスペーサ用樹脂組成物を配置させるスペーサ付き基材形成工程と、
別の基材を先の基材と平行になるように先の基材上のスペーサ用樹脂組成物上に積層する基材積層工程と、
を繰り返す請求項１に記載の多層構造体の製造方法。
【請求項３】
基材の樹脂製スペーサ形成位置にスペーサ用樹脂組成物を配置させるスペーサ付き基材形成工程と、
樹脂製スペーサ付き基材の樹脂製スペーサが他の樹脂製スペーサ付き基材の基材に接触するように、複数枚の樹脂製スペーサ付き基材を互いに平行に保ちながら積層する積層工程と、
を備えている請求項１に記載の多層構造体の製造方法。
【請求項４】
複数の基材を上下方向に間隔を置いて配置した状態で、各基材上の樹脂製スペーサ形成位置にスペーサ用樹脂組成物を配置させるスペーサ付き基材形成工程と、
スペーサ付き基材の間隔をスペーサ付き基材形成工程時より狭めて、樹脂製スペーサが他のスペーサ付き基材の基材に接触するように積層する積層工程と、
を備えている請求項１に記載の多層構造体の製造方法。
【請求項５】
複数の長尺基材を上下方向に間隔を置いて、長尺基材の幅方向に伸張状態を保ちながら長尺基材の長手方向に連続的に搬送し、搬送される長尺基材の樹脂製スペーサ形成位置にスペーサ用樹脂組成物を連続的または間欠的に供給してスペーサ付き基材を連続的に得るスペーサ付き基材形成工程と、
スペーサ付き基材形成工程を経て連続的に搬送される各長尺のスペーサ付き基材を幅方向に伸張させた状態で上下のスペーサ付き基材とスペーサ付き基材との間隔を狭めて樹脂製スペーサが他の樹脂製スペーサ付き基材の基材に接触するように連続的に積層して長尺多層構造体を得る積層工程と、
を備えている請求項１に記載の多層構造体の製造方法。
【請求項６】
多層構造体を所定の寸法に切断する切断工程を備えている請求項１から請求項５の何れかに記載の多層構造体の製造方法。
【請求項７】
基材が少なくとも対向する２つの端縁に沿って所定のピッチで複数の位置決め孔が穿設された孔開き基材であって、このような孔開き基材の各位置決め孔に位置決めピンを挿通することによって位置決めしながら積層する請求項１から請求項６の何れかに記載の多層構造体の製造方法。
【請求項８】
位置決め孔の穿孔を位置決めピン先端に設けた刃によって行い、穿孔と同時に位置決めピンを位置決め孔に挿通する請求項７に記載の多層構造体の製造方法。
【請求項９】
少なくとも一つの吐出口からスペーサ用樹脂組成物を基材上に吐出すると同時に、基材と吐出口とを相対移動させて、樹脂製スペーサを形成する請求項１から請求項８の何れかに記載の多層構造体の製造方法。
【請求項１０】
樹脂製スペーサよりも幅広の樹脂製帯状部を、少なくとも最も外側に配置された樹脂製スペーサの外側に配置させる帯状部形成工程を備える請求項１から請求項９の何れかに記載の多層構造体の製造方法。
【請求項１１】
最外層基材に接着層を設ける接着剤塗布工程を備えている請求項１から請求項１０の何れかに記載の多層構造体の製造方法。
【請求項１２】
請求項１から請求項１０の何れかに記載の多層構造体の側縁を、少なくとも端部のスペーサを包含するように枠材の断面略コ字形をした嵌合溝に嵌合させる嵌合工程を備える断熱採光材の製造方法。
【請求項１３】
枠材の嵌合溝内に封止材料を充填し、多層構造体の側面を気密に封止する請求項１２に記載の断熱採光材の製造方法。
【請求項１４】
枠材の嵌合溝の両側壁に複数の挿通孔が対向するように穿設してあり、これらの挿通孔と請求項７から請求項１０の何れかに記載の多層構造体の製造方法により製造した多層構造体の位置決め孔の何れかが一致するように、多層構造体と枠材とを嵌合させる嵌合工程と、
一致させた位置決め孔と挿通孔との間に挿通手段を挿通して、多層構造体と枠材とを固着させる固着工程と、
を備えている請求項１２又は請求項１３に記載の断熱採光材の製造方法。
【請求項１５】
２列平行に立設された複数の位置決めピンと、少なくとも基材の端部を固定する固定手段とを有する基材固定テーブルと、
基材固定テーブル上方に配置され、スペーサ用樹脂組成物を吐出する少なくとも一つの吐出口と、
基材固定テーブル及び吐出口の少なくとも何れかを、前記位置決めピンの列方向に相対移動させる移動手段と、
基材固定テーブル及び吐出口の少なくとも何れかを基材の積層方向に相対移動させる昇降手段と、
を備えることを特徴とする多層構造体の製造装置。
【請求項１６】
位置決めピンが基材に位置決め孔を穿孔する刃をその先端に備えている請求項１５に記載の多層構造体の製造装置。
【請求項１７】
基材を基材固定テーブル上に供給する基材供給手段を複数備えている請求項１５又は請求項１６に記載の多層構造体の製造装置。
【請求項１８】
上下方向に配置され、長尺基材を幅方向に張力を掛けながら、長尺基材をその長手方向に連続的に搬送するとともに、搬送方向の上流側には搬送される上下の長尺基材間にスペーサ用樹脂組成物が供給可能な隙間を形成し、搬送方向の下流側では上下の長尺基材間を積層幅に狭めるように基材をガイドする複数の基材搬送手段と、
スペーサ用樹脂組成物供給可能位置で、基材上の樹脂製スペーサ形成位置にスペーサ用樹脂組成物を吐出する複数の吐出口と、
を備えることを特徴とする多層構造体の製造装置。
【請求項１９】
連続的に送り出される長尺多層構造体を所定の長さに切断する切断手段を備えている請求項１８に記載の多層構造体の製造装置。
【発明の詳細な説明】
【技術分野】
【０００１】
この発明は、断熱性に優れ、軽量な多層構造体の製造方法及び製造装置、この多層構造体を使用する断熱採光材の製造方法に関する。
【背景技術】
【０００２】
近年の建築物では、省エネルギーの観点から、外界との高い断熱効果を達成し冷暖房の効率を極限にまで高める試みがなされている。そして、このような目的のために断熱性の高い壁材等が種々提案されている。
【０００３】
一方、建築物の住環境等を考える場合に、採光は極めて重要である。現在の建築物においては、採光部にはガラス窓を設置することが一般的であるが、壁材等に比べて高い断熱効果を発揮させるのは難しかった。例えば、「省エネルギー技術戦略報告書」(平成14年6月12日、経済産業省)によると、全消費エネルギーの45%が窓等の開口部から損失しているといわれている。
【０００４】
さて、断熱性の高いガラスとしては、いわゆるペアガラスが提案されている(例えば、特許文献１等)。ペアガラスは、２枚のガラス間に隙間を設け、ガラス間を真空としたり、アルゴン等の不活性ガスを吹き込んだりしたものであり、ガラス間の空間の存在により、高い断熱効果を発揮しようとするものである。
【０００５】
しかし、ペアガラスは通常のガラスに比べて重くて嵩張るという欠点があった。また、数万〜十数万円/m2と高価であり、通常の住宅へ応用するのは困難であった。さらに、長期間使用する間に空気が侵入して真空状態が破れたり、ガス抜けが起こったりして、性能が低下してしまうという欠点もあった。そこで、断熱性に優れ、透光性が高く、かつ軽量である採光断熱材が求められている。
【特許文献１】特開２００３−０２６４５３号公報
【発明の開示】
【発明が解決しようとする課題】
【０００６】
この発明は、断熱性に優れ、軽量であるとともに、透光性、審美性、強度も優れた多層構造体の製造方法と製造装置、及び多層構造体の縁部に枠体を取り付けた断熱採光材の製造方法を提供することを目的とする。
【課題を解決するための手段】
【０００７】
前記の目的を達成するため、近年、ペアガラスのガラスに代えて軽量かつ透明な基材を使用することが検討されている。例えば、複数の基材の間にスペーサで分割された空間を有する多層構造体を使用する断熱採光材が検討されている。
【０００８】
この多層構造体は、多層化することによって断熱性が向上することが知られており、基材の上に樹脂製スペーサを形成しその上に他の基材を積み重ねることを繰り返して、多層構造体を製造することが試みられている。
【０００９】
ただ、基材を積み重ねて多層構造体を製造しようとしても、透光性、審美性が低下するとともに、樹脂製スペーサに掛かる力が分散して多層構造体の強度が不十分となってしまうため、実用的な多層構造体の製造は困難であった。
【００１０】
本発明者らは、研究の結果、樹脂製スペーサを基材の積層方向に正確に重ね合わせることができないために、樹脂製スペーサの幅を太くなって透光性、審美性が低下し、樹脂製スペーサに掛かる力が分散して強度が不十分となることを見出した。そして、今回、以下の各請求項に記載の発明を完成し、実用性のある多層構造体等の製造を可能にした。
【００１１】
すなわち、請求項１に記載の多層構造体の製造方法は、透光性を有する３枚以上の基材を、各基材間に配置された複数の樹脂製スペーサによって、基材間に前記樹脂製スペーサの厚みの空間を形成するように積層するとともに、各樹脂製スペーサを他の基材間の樹脂製スペーサと基材の積層方向に重ね合わせるよう配置することを特徴とする。なお、この発明において、樹脂製スペーサを基材の積層方向に重ね合わせるとは、各樹脂製スペーサを完全に一致するように重ね合わせることだけではなく、実質的に重ね合わせることも含む。
【００１２】
請求項２に記載の多層構造体の製造方法は、請求項１に記載の多層構造体の製造方法であって、基材上の樹脂製スペーサ形成位置にスペーサ用樹脂組成物を配置させるスペーサ付き基材形成工程と、別の基材を先の基材と平行になるように先の基材上のスペーサ用樹脂組成物上に積層する基材積層工程と、を繰り返す。
【００１３】
請求項３に記載の多層構造体の製造方法は、請求項１に記載の多層構造体の製造方法であって、基材の樹脂製スペーサ形成位置にスペーサ用樹脂組成物を配置させるスペーサ付き基材形成工程と、樹脂製スペーサ付き基材の樹脂製スペーサが他の樹脂製スペーサ付き基材の基材に接触するように、複数枚の樹脂製スペーサ付き基材を互いに平行に保ちながら積層する積層工程と、を備えている。
【００１４】
請求項４に記載の多層構造体の製造方法は、請求項１に記載の多層構造体の製造方法であって、複数の基材を上下方向に間隔を置いて配置した状態で、各基材上の樹脂製スペーサ形成位置にスペーサ用樹脂組成物を配置させるスペーサ付き基材形成工程と、スペーサ付き基材の間隔をスペーサ付き基材形成工程時より狭めて、樹脂製スペーサが他のスペーサ付き基材の基材に接触するように積層する積層工程と、を備えている。
【００１５】
請求項５に記載の多層構造体の製造方法は、請求項１に記載の多層構造体の製造方法であって、複数の長尺基材を上下方向に間隔を置いて、長尺基材の幅方向に伸張状態を保ちながら長尺基材の長手方向に連続的に搬送し、搬送される長尺基材の樹脂製スペーサ形成位置にスペーサ用樹脂組成物を連続的または間欠的に供給してスペーサ付き基材を連続的に得るスペーサ付き基材形成工程と、スペーサ付き基材形成工程を経て連続的に搬送される各長尺のスペーサ付き基材を幅方向に伸張させた状態で上下のスペーサ付き基材とスペーサ付き基材との間隔を狭めて樹脂製スペーサが他の樹脂製スペーサ付き基材の基材に接触するように連続的に積層して長尺多層構造体を得る積層工程と、を備えている。
【００１６】
請求項６に記載の多層構造体の製造方法は、請求項１から請求項５の何れかに記載に記載の多層構造体の製造方法であって、多層構造体を所定の寸法に切断する切断工程を備えている。
【００１７】
請求項７に記載の多層構造体の製造方法は、請求項１から請求項６の何れかに記載の多層構造体の製造方法であって、基材が少なくとも対向する２つの端縁に沿って所定のピッチで複数の位置決め孔が穿設された孔開き基材であり、このような孔開き基材の各位置決め孔に位置決めピンを挿通することによって位置決めしながら積層する。
【００１８】
請求項８に記載の多層構造体の製造方法は、請求項７に記載の多層構造体の製造方法であって、位置決め孔の穿孔を位置決めピン先端に設けた刃によって行い、穿孔と同時に位置決めピンを位置決め孔に挿通する。
【００１９】
請求項９に記載の多層構造体の製造方法は、請求項１から請求項８の何れかに記載の多層構造体の製造方法であって、少なくとも一つの吐出口からスペーサ用樹脂組成物を基材上に吐出すると同時に、基材と吐出口とを相対移動させて、樹脂製スペーサを形成する。
【００２０】
請求項１０に記載の多層構造体の製造方法は、請求項１から請求項９の何れかに記載の多層構造体の製造方法であって、樹脂製スペーサよりも幅広の樹脂製帯状部を、少なくとも最も外側に配置された樹脂製スペーサの外側に配置させる帯状部形成工程を備える。
【００２１】
請求項１１に記載の多層構造体の製造方法は、請求項１から請求項１０の何れかに記載の多層構造体の製造方法であって、最外層基材に接着層を設ける接着剤塗布工程を備えている。
【００２２】
請求項１２に記載の断熱採光材の製造方法は、請求項１から請求項１０の何れかに記載の多層構造体の側縁を、少なくとも端部のスペーサを包含するように枠材の断面略コ字形をした嵌合溝に嵌合させる嵌合工程を備える。
【００２３】
請求項１３に記載の断熱採光材の製造方法は、請求項１２に記載の断熱採光材の製造方法であって、枠材の嵌合溝内に封止材料を充填し、多層構造体の側面を気密に封止する。
【００２４】
請求項１４に記載の断熱採光材の製造方法は、請求項１２又は請求項１３に記載の断熱採光材の製造方法であって、枠材の嵌合溝の両側壁に複数の挿通孔が対向するように穿設してあり、これらの挿通孔と請求項７から請求項１０の何れかに記載の多層構造体の製造方法により製造した多層構造体の位置決め孔の何れかが一致するように、多層構造体と枠材とを嵌合させる嵌合工程と、一致させた位置決め孔と挿通孔との間に挿通手段を挿通して、多層構造体と枠材とを固着させる固着工程と、を備えている。
【００２５】
請求項１５に記載の多層構造体の製造装置は、２列平行に立設された複数の位置決めピンと、少なくとも基材の端部を固定する固定手段とを有する基材固定テーブルと、基材固定テーブル上方に配置され、スペーサ用樹脂組成物を吐出する少なくとも一つの吐出口と、基材固定テーブル及び吐出口の少なくとも何れかを、前記位置決めピンの列方向に相対移動させる移動手段と、基材固定テーブル及び吐出口の少なくとも何れかを基材の積層方向に相対移動させる昇降手段と、を備えることを特徴とする。
【００２６】
請求項１６に記載の多層構造体の製造装置は、請求項１５に記載の多層構造体の製造装置であって、位置決めピンが基材に位置決め孔を穿孔する刃をその先端に備えている。
【００２７】
請求項１７に記載の多層構造体の製造装置は、請求項１５又は請求項１６に記載の多層構造体の製造装置であって、基材を基材固定テーブル上に供給する基材供給手段を複数備えている。
【００２８】
請求項１８に記載の多層構造体の製造装置は、上下方向に配置され、長尺基材を幅方向に張力を掛けながら、長尺基材をその長手方向に連続的に搬送するとともに、搬送方向の上流側には搬送される上下の長尺基材間にスペーサ用樹脂組成物が供給可能な隙間を形成し、搬送方向の下流側では上下の長尺基材間を積層幅に狭めるように基材をガイドする複数の基材搬送手段と、スペーサ用樹脂組成物供給可能位置で、基材上の樹脂製スペーサ形成位置にスペーサ用樹脂組成物を吐出する複数の吐出口と、を備えることを特徴とする。
【００２９】
請求項１９に記載の多層構造体の製造装置は、請求項１８に記載の多層構造体の製造装置であって、連続的に送り出される長尺多層構造体を所定の長さに切断する切断手段を備えている。
【発明の効果】
【００３０】
請求項１から請求項３の何れかに記載の多層構造体の製造方法は、樹脂製スペーサを基材の積層方向に正確に重ね合わせることができる。したがって、断熱性に優れ、軽量であるとともに、透光性、審美性、強度も優れた多層構造体を製造できる。
【００３１】
請求項４から請求項６の何れかに記載の多層構造体の製造方法は、基材の積層方向に正確に重ね合わせた状態で、多層構造体を連続的に製造することができる。したがって、断熱性に優れ、軽量であるとともに、透光性、審美性、強度も優れた多層構造体を効率よく、低コストで製造できる。
【００３２】
請求項７に記載の多層構造体の製造方法は、基材が少なくとも対向する２つの端縁に沿って所定のピッチで複数の位置決め孔が穿設された孔開き基材であって、このような孔開き基材の各位置決め孔に位置決めピンを挿通することによって位置決めしながら積層するため、樹脂製スペーサを基材の積層方向に正確に重ね合わせることができる。
【００３３】
請求項８に記載の多層構造体の製造方法は、位置決めピンの先端に刃が設けてあるため、位置決め孔の穿設と基材の固定とを同時に行うことができる。そのため、多層構造体の製造を簡素化することができる。
【００３４】
請求項９に記載の多層構造体の製造方法は、少なくとも一つの吐出口からスペーサ用樹脂組成物を基材上に吐出すると同時に、基材と吐出口とを相対移動させて、樹脂製スペーサを形成することにより、樹脂製スペーサを容易に形成することができる。
【００３５】
請求項１０に記載の多層構造体の製造方法は、多層構造体に樹脂製帯状部をするため、後述する枠材への組付けを容易にすること、空間をより確実に封止すること、基材同士のずれを防ぐことができる。
【００３６】
請求項１１に記載の多層構造体の製造方法は、多層構造体の最外層基材に接着層を設けてあるため、ガラスなどの支持体に貼付けることができ、既存のガラスに断熱性を付与することができる。
【００３７】
請求項１２に記載の断熱採光材の製造方法は、多層構造体の枠材の断面略コ字形の枠材を取り付けることにより、採光窓などして利用可能な断熱採光材を容易に製造することができる。
【００３８】
請求項１３に記載の断熱採光材の製造方法は、多層構造体の側面を気密に封止しているため、空間の空気の移動を防ぎ、多層構造体の断熱効果をより高めることもできる。
【００３９】
請求項１４に記載の断熱採光材の製造方法は、多層構造体の位置決め孔と枠材に穿設した挿通孔とを挿通する挿通手段によって、多層構造体を枠材に容易に取り付けることができる。
【００４０】
請求項１５に記載の多層構造体の製造装置は、基材固定テーブルが基材を基材固定テーブルに平行な状態で保持できるため、樹脂製スペーサの形成中に基材が変形せず、樹脂製スペーサを基材の積層方向に正確に重ね合わせることができる。
【００４１】
請求項１６に記載の多層構造体の製造装置は、位置決めピンの先端に刃が設けてあるため、位置決め孔の穿設と基材の固定とを同時に行うことができる。
【００４２】
請求項１７に記載の多層構造体の製造装置は、基材供給手段を交互に切り替えて使用できるので、基材ロールを容易かつ迅速に交換でき、材質や厚さの異なる２種類の基材を使用する多層構造体の製造をできる。
【００４３】
請求項１８に記載の多層構造体の製造装置は、樹脂製スペーサの形成とスペーサ付き基材の積層を連続的に行うことができるため、多層構造体を連続的に効率よく製造することができる。
【００４４】
請求項１９に記載の多層構造体の製造装置は、切断手段の切断間隔を操作することにより、長さの異なる多層構造体を同一の製造装置で製造することができる。
【発明を実施するための最良の形態】
【００４５】
以下に、本発明の実施の形態を、その１例を示す図面を参照に詳説する。
【００４６】
１．多層構造体の製造方法
この発明は、透光性を有する３枚以上の基材が、各基材間に配置された複数の樹脂製スペーサによって、基材間に前記樹脂製スペーサの厚みの空間を形成するように積層されるとともに、各樹脂製スペーサが他の基材間の樹脂製スペーサと基材の積層方向に重ね合わせるように配置される多層構造体の製造方法である。そこで、初めに、多層構造体について、その詳細を以下に説明する。
【００４７】
（１）多層構造体
この発明の多層構造体１は、その断面図である図１（ａ）に示すように、３枚以上の基材１１が、各基材１１間に設けられた樹脂製スペーサ１２を介して、基材１１間に樹脂製スペーサ１２によって仕切られた複数の空間２を形成するように、積層されている。
【００４８】
ここで、多層構造体１は、後述する枠材への組付けを容易にすること、空間２をより確実に封止すること、基材１１同士のずれを防ぐこと等のため、図１（ｂ）に示すように、樹脂製スペーサ１２よりも幅広の樹脂製帯状部１３を備えていてもよい。図２に樹脂製帯状部１３を備えた多層構造体１の正面図を示す。なお、多層構造体は、図２に示すような縦長形状のほか、正方形や横長形状など用途に応じて様々な形状を採ることができる。
【００４９】
また、樹脂製スペーサ１２の形状は、図１及び図２に記載のものに特に限定する必要はなく、この他にも、図３に示す幅方向の直線形状、図４に示すようにほぼ矩形の樹脂製スペーサ１２を格子状に並べた形状が考えられるが、断熱性能及び製造し易さを考慮すれば、図２に示すような長手方向の直線形状が好ましい。さらに、樹脂製帯状部は、最も外側の樹脂製スペーサよりも外側には少なくとも配置されている必要はあるが、枠材の形状等に応じて多層構造体１の中央部などに配置されていてもよい。
【００５０】
空間２の厚さは、多層構造体１の熱貫通率に関係し、空間２の厚さの好ましい下限は100μm、好ましい上限は3mmであり、より好ましい下限は200μm、より好ましい上限は2mmである。なお、同じ厚さの多層構造体１であれば、厚い空間を少数有するものよりも、前記範囲の厚さの空間を多数有するもののほうがより断熱効果が高い。
【００５１】
また、空間２を分割する樹脂製スペーサが一軸方向に一直線に形成された線状のものである場合、その間隔の好ましい下限は3cm、好ましい上限は40cmであり、より好ましい下限は5cm、より好ましい上限は20cmである。3cm未満であると、得られる採光断熱材の透光性が劣ることがあり、40cmを超えると得られる多層構造体１の強度が劣ることがある。
【００５２】
さらに、多層構造体１の最外層基材にホットメルト接着剤などからなる接着層を設け、ガラスなどの支持体に貼付けられるようにしてもよい。なお、製造工程及び製造装置を簡略化できること、厚みが薄く空気巻き込みが少ないことから、樹脂製スペーサを接着層に使用することが好ましい。
【００５３】
（ａ）基材
基材１１は、その幅方向の両端縁に沿って所定のピッチで複数の位置決め孔１１ａが穿設してあり、ある程度の透光性を備えているのであれば、特に限定することなく公知の基材を使用することができる。具体的には、樹脂フィルム、樹脂シート、紙、ガラスペーパ、板ガラス、樹脂フォームを例示することができ、透明なものだけでなく、着色された半透明なものでも構わない。なお、多層構造体１を構成する基材１１は、全てが同じものである必要はなく、用途に応じて様々な厚さや材質のものを使用することができる。例えば、最上又は最下層にはガラス板、ポリカーボネートプレート等の可とう性の少ない材料を使用して、その他の層には樹脂フィルムとガラスペーパなどの可とう性を備えた材料を使用してもよい。
【００５４】
樹脂フィルム、樹脂シートとしては、具体的には、ポリエチレンテレフタレート（ＰＥＴ）、ポリカーボネート、ポリエチレン、アクリル樹脂、ポリ塩化ビニル、ポリビニルアルコール、トリ酢酸セルロース等からなる樹脂フィルムや樹脂シート等が例示できる。また、紙としては障子紙などの和紙、塗工紙、非塗工紙及び耐水性紙等の洋紙、植毛紙等の特殊紙等が例示できる。また、樹脂フォームとしては、ポリエチレン等のオレフィン系樹脂発泡体、発泡ポリスチレンペーパー、アクリル系樹脂発泡体などが例示できる。
【００５５】
樹脂フィルムとしては、自消性を備えており建築材として適合性がよいことから、ポリカーボネートフィルム、ポリ塩化ビニルフィルムが好ましく、特に、ポリカーボネートフィルムは、強度と耐候性とに優れていることから、これを最外層とすることにより防犯性や耐候性を発揮させることもできる。また、ポリエチレンテレフタレートフィルムは機械的強度に優れているため、これを使用することにより、多層構造体１の強度を高めることができる。さらに、最外層として板ガラスを使用することによって、窓ガラスに断熱効果を付与することができ、最外層として障子紙などの和紙を利用することによって、多層構造体の意匠性を向上させることができる。
【００５６】
基材が樹脂フィルムからなる場合、その厚さは特に限定する必要はないが、好ましい下限は10μm、好ましい上限は300μmである。10μm未満であると、得られる多層構造体１の強度が劣ることがあり、300μmを超えると、同じ断熱効果を得るのに必要以上に多層構造体１が厚くなることがある。なお、より好ましい下限は20μm、より好ましい上限は200μmである。また、樹脂シート、紙、ガラスペーパ、板ガラス、樹脂フォームの厚さは、断熱性と採光性を損なわない範囲で用途に応じて自由に決めることができる。
【００５７】
位置決め孔１１ａは、基材１１を均一に伸張された状態に保ち「しわ」が生じないのであれば、特に限定することなく穿設してもよいが、等間隔で穿設する（等ピッチ）ことが好ましい。また、位置決め孔１１ａを等間隔で穿設する場合のピッチは、基材１１の厚さや材料によっても変わるが、好ましい下限は3cm、好ましい上限は90cmであり、より好ましい下限は10cm、より好ましい上限は30cmである。3cm未満であると、穿設する位置決め孔１１ａの数が増え作業性が劣ることがあり、90cmを超えると基材１１にしわが寄り、均一に伸張された状態で保持することができなくなることがある。
【００５８】
なお、基材は位置決め孔１１ａを予め穿設した孔開き基材を使用してもよいが、無孔の基材を使用し、多層構造体の製造中に孔を開けるようにしてもよい。このように無孔のフィルムを使用することによって、同じ基材を種類の異なる多層構造体に使用することができる。
【００５９】
（ｂ）樹脂製スペーサ
樹脂製スペーサ１２を構成するスペーサ用樹脂組成物は、基材同士を貼り合せることができる樹脂であれば特に限定することなく使用することができるが、採光性を高めるためには透明樹脂であることが好ましく、断熱機能を高めるためには断熱性が高い樹脂であることが好ましい。このような樹脂としては、ホットメルト接着剤用樹脂、常温で自己粘着する樹脂等があるが、具体的には、変性ポリオレフィン樹脂、ポリエステル樹脂、アルキル（メタ）アクリル酸共重合体樹脂などが例示できる。
【００６０】
なお、前記樹脂組成物は断熱効果向上のため、気泡を分散してもよい。気泡を分散させる方法として、具体的には、空隙を有するシリカ、ガラス等の無機フィラーを混練する方法、加熱により気体を発生させる化学発泡剤を使用する方法、常圧では気体の窒素、二酸化炭素、有機溶剤等の物質を加圧下で混練し、常圧下で開放して発泡させる物理発泡剤を使用する方法等が挙げられる。
【００６１】
また、樹脂製スペーサの幅は、その下限が0.1mm、上限が3mmであることが好ましく、より好ましい下限は0.3mm、上限は2mmである。下限が0.1mm未満であると樹脂製スペーサと基材との接着強度が劣ることがあり、上限が3mmを超えると伝熱面積が増えて断熱効果が劣ることがある。
【００６２】
（ｃ）樹脂製帯状部
樹脂製帯状部１３を構成する帯状部用樹脂組成物は、基材同士を貼り合せることができる樹脂であれば特に限定することなく使用することができるが、断熱機能を高めるためには断熱性が高い樹脂であることが好ましい。このような樹脂としては、スペーサ用樹脂組成物と同様のものが例示できる。
【００６３】
また、樹脂製帯状部１３の幅は、その下限が3mm、上限が20mmであることが好ましく、より好ましい下限は4mm、上限は10mmである。下限が3mm未満であると多層構造体１の端部が短くなるため、空間２の枠材への組付けを容易にすること、空間２をより確実に封止すること、基材１１同士のずれを防ぐこと等の効果が得られないことがあり、上限が3mmを超えると伝熱面積が増えて断熱効果が劣ることがある。
【００６４】
（２）製造方法
この発明の多層構造体を製造する方法としては特に限定されないが、例えば、図５に記載した態様の製造装置３、又は図６及び図７に記載した態様の製造装置４を使用する方法が挙げられる。
【００６５】
（ａ）製造装置３の構造
製造装置３は、図５に示すように、２列平行に立設された複数の位置決めピン３１ａ及び基材の端部を固定する固定手段３１ｂを有する基材固定テーブル３１と、基材固定テーブル３１の上方に配置されスペーサ用樹脂組成物を吐出する吐出口３２と、基材供給手段３３と、を備えている。なお、位置決めピン３１ａは、その先端に基材１１に位置決め孔１１ａを穿孔する刃を備えている。なお、図５（ａ）は製造装置３を側面から見た図であり、図５（ｂ）は上側から見た図（後述する基材供給手段３３については、理解しやすくするため、記載を省略した。）である。
【００６６】
ここで、位置決めピン３１ａは、基材１１を均一に伸張された状態に保ち「しわ」を生じさせないのであれば、特に限定することなく任意の間隔で立設してもよいが、等間隔で立設する（等ピッチ）ことが好ましい。また、位置決めピン３１ａは、基材固定テーブル３１に固定されていてもよく、基材固定テーブル３１上でその位置や角度を変えて、基材１１に張力を与えられるようになっていてもよい。
【００６７】
また、固定手段３１ｂが基材１１を基材固定テーブル３１に固定する方法としては、公知の技術であれば特に限定することなく使用することができる。具体的には、固定手段３１ｂが基材１１の端部を挟持する方法、固定テーブル３１に設けられた脱気孔により基材１１の端部や全体を真空吸引する方法、固定テーブル３１に剥離可能な粘着加工を施して貼り付ける方法、静電気を発生させて貼り付ける方法などが例示できる。
【００６８】
さらに、基材供給手段３３は、ロール状に巻き取った無孔の基材のロールから無孔の基材を送り出す基材送り出し部３３ａ（３３ｂ）、無孔の基材を一定の力で引っ張るテンション負荷ロール３４ａ（３４ｂ）、無孔の基材を一定の長さで切断する基材カッター３５ａ（３５ｂ）、基材を基材固定テーブル３１に積層して貼付ける貼付プレスロール３６ａ（３６ｂ）等から構成されている。
【００６９】
このように図５に記載の製造装置３が、２つの基材供給手段３３を交互に切り替えて使用できるので、基材ロールを容易かつ迅速に交換でき、材質や厚さの異なる２種類の基材を使用する多層構造体が製造できる。
【００７０】
これらに加えて、製造装置３は、基材固定テーブル３１を位置決めピン３１ａの列方向に動かして、基材固定テーブル３１と吐出口３２とを相対移動させる移動手段（図示せず。）と、基材固定テーブルを基材の積層方向に相対移動させる昇降手段（図示せず。）と、帯状部用樹脂組成物を供給する幅広吐出口３７とを備えている。なお、移動手段及び昇降手段は前記の相対移動ができれば公知技術を特に限定なく使用することができる。具体的には、油圧装置による駆動手段やモータによる駆動手段を使用するものなどが例示できる。
【００７１】
なお、製造装置３は、必要に応じて多層構造体１の最外層基材にホットメルト接着剤などからなる接着層を設けるための接着剤塗布部（図示せず。）を有していてもよい。ここで、製造工程及び製造装置を簡略化できることなどの理由から、吐出口３２が接着剤塗布部を兼用することが好ましい。
【００７２】
（ｂ）製造装置３を用いた多層構造体の製造
図５に記載の製造装置３を使用して、多層構造体は例えば以下のような手順により製造できる。まず、基材送り出し部３３ａから無孔の基材を送り出し、送り出した無孔の基材１１の端部を固定手段３１ｂによって固定したのち、テンション負荷ロール３４ａで一定の力で引張りながら、その先端を基材固定テーブル３１と貼付プレスロール３６ａとの間に挟む。
【００７３】
つぎに、無孔の基材を貼付プレスロール３６ａで基材固定テーブル３１方向に押しつけながら、移動手段が基材固定テーブル３１を一方向に移動する。この際、位置決めピン３１ａ先端に設けた刃によって無孔の基材１１に位置決め孔を穿孔し、穿孔と同時に位置決めピン３１ａを位置決め孔１１ａに挿通することによって、基材１１を均一に伸張された状態に保ちながら基材固定テーブル３１と平行に固定する。
【００７４】
ここで基材固定テーブル３１の移動に合わせて、基材１１上に吐出口３２からスペーサ用樹脂組成物を吐出するとともに、基材１１の位置決め孔１１ａ内側の幅方向両端部に帯状部用樹脂組成物を幅広吐出口３７から孔開き基材上に供給し、樹脂製スペーサ１２と樹脂製帯状部１３との形成を開始する。なお、樹脂製スペーサ１２と樹脂製帯状部１３は必ずしも同時に形成する必要はないが、同時に形成した方が作業効率がよい。
【００７５】
基材固定テーブル３１が製造する多層構造体１の長さ分だけ移動したのち、基材カッター３５ａが基材を切断し、同時に吐出口３２がスペーサ用樹脂組成物の吐出を停止し、幅広吐出口３７が帯状部用樹脂組成物の供給を停止する。（スペーサ付き基材形成工程、帯状部形成工程）
【００７６】
スペーサ付き基材形成工程が完了すると、移動手段が基材固定テーブル３１をその開始位置に戻し、昇降手段が基材固定テーブル３１の高さを基材と樹脂製スペーサ１２の高さ分だけ下げたのち、同様の方法により別の基材１１を先の基材１１と平行になるように先の基材１１上のスペーサ用樹脂組成物上に積層する（基材積層工程）。
【００７７】
そして、製造装置３が必要な回数だけスペーサ付き基材形成工程と基材積層工程とを繰り返すことにより、多層構造体を製造する。例えば、ｎ層の多層構造体は、スペーサ付き基材形成工程と基材積層工程とを連続してｎ−１回繰り返したのち、最後に基材積層工程だけを行うことによって、製造することができる。
【００７８】
なお、基材の固定と樹脂製スペーサの形成を連続して行うのではなく、スペーサ付き基材形成工程で得られた複数枚の樹脂製スペーサ付き基材を、その各位置決め孔１１ａに位置決めピン３１ａを挿通して、各基材１１を均一に伸張された状態に保ちながら樹脂製スペーサ１２が他の樹脂製スペーサ付き基材の基材に接触するように位置決めしながら積層したのち、最後に基材だけを積層すること（積層工程）により製造してもよい。
【００７９】
また、多層構造体１に接着層を設ける場合には、多層構造体を完成したのちその最外層基材に接着層を設ければよい。さらに、多層構造体の最上層及び最下層にガラス板や樹脂プレート等の板状体を設ける場合には、初めに固定テーブル３１上に板状体を載置し、最上層と最下層の間に板状体ではない基材（樹脂フィルムなど）を積層したのち、最後に板状体を載せることにより製造すればよい。
【００８０】
このように、基材１１の幅方向の両端縁に沿って所定のピッチで複数穿設された位置決め孔１１ａに、位置決めピン３１ａを挿通して基材１１を均一に伸張された状態に保つことによって、基材１１の積み重ねや樹脂製スペーサ１２の形成を行うため、樹脂製スペーサ１２を基材の積層方向に正確に重ね合わせることができる。
【００８１】
（ｃ）製造装置４の構造
製造装置４は、図６及び図７に示すように、上下方向に配置された複数の基材搬送手段４１と、スペーサ用樹脂組成物供給可能位置で、各基材上の樹脂製スペーサ形成位置にスペーサ用樹脂組成物を吐出する複数の吐出口４２と、基材搬送手段４１に基材を供給する基材供給手段４３と、を備えている。
【００８２】
なお、図６（ａ）は製造装置４を側面から見た図（理解しやすくするため、一番上と一番下以外の搬送手段４１は記載を省略した。）である。また、図６（ｂ）は最下層の基材１１を搬送するための基材搬送手段４１を上側から見た図（理解しやすくするため、基材供給手段４３については記載を省略した。）である。さらに、図７（ａ）は図６（ａ）のＡ−Ａ線断面図であり（理解しやすくするため、吐出口４２及び後述する幅広吐出口４４については記載を省略した。）、図７（ｂ）は基材搬送手段４１を構成する無端ベルト４１ｂの拡大図である。加えて、図７（ｃ）は駆動ロール４１ｃの近傍の構造を説明する図である。
【００８３】
基材搬送手段４１は、基材１１の幅方向の端部に突き刺さり、基材１１を係止するピン４１ａ、ピン４１ａが所定間隔で立設された無端ベルト４１ｂ、無端ベルト４１ｂを駆動する駆動ロール４１ｃ、無端ベルト４１ｂをガイドする複数のベルトターンロール４１ｄ、基材１１を無端ベルト４１ｂに押付けるゴムロール４１ｅ、基材１１をガイドする基材ターンロール４１ｆ等から構成されている。なお、ベルトターンロール４１ｄは、基材搬送手段４１の上流側（基材供給手段４３側）には基材１１と基材１１との間にスペーサ用樹脂組成物を供給可能な隙間を形成し、下流側では上下の長尺基材間を積層幅に狭めるように各基材１１をガイドしている。
【００８４】
また、無端ベルト４１ｂは、図７（ｂ）に示すように、その中心線に沿ってピン４１ａが立設してあり、その側縁部には一定の間隔で切り欠き４１ｇが設けてある。なお、ピン４１ａは、基材１１を均一に伸張された状態に保ち「しわ」を生じさせないのであれば、特に限定することなく任意の間隔で設けてもよいが、等間隔（等ピッチ）で設けてあることが好ましい。
【００８５】
さらに、駆動ロール４１ｃは、図７（ｃ）に示すように、その円周方向に沿って無端ベルト４１ｂの切り欠き４１ｇと嵌合する凸部４１ｈが設けてある。なお、ベルトターンロール４１ｄには、ベルト幅の間隔で直線状のずれ防止用溝（図示しない。）が設けてある。
【００８６】
このように構成した搬送手段４１では、駆動ロール４１ｃの凸部４１ｈが、無端ベルト４１ｂの切り欠き４１ｇに嵌め合って、駆動ロール４１の回転駆動によって駆動ロール４１の回転方向に無端ベルト４１ｂが移動する。その際、搬送手段の上流側から供給される基材１１の幅方向の両端部が、ゴムロール４１ｅとベルトターンロール４１ｄによって挟まれ、無端ベルト４１ｂ上のピン４１ａが基材１１に突き刺さる。したがって、基材１１が無端ベルト４１ｂの移動に伴って、幅方向に伸張状態に保たれた状態で搬送される。
【００８７】
なお、均一に伸張された状態に保ち「しわ」を生じさせないのであれば、ピンを使用しない基材搬送手段、例えば、クランプにより基材を把持する搬送手段を使用してもよい。また、吐出口４２及び基材供給手段４３は製造装置３の吐出口３２及び基材供給手段３３とそれぞれ同様の構成である。さらに、製造装置４は製造装置３の幅広吐出口３７と同様に帯状部用樹脂組成物を供給する幅広吐出口４４や、長尺の多層構造体を所定の寸法に切断する切断手段４５を備えていてもよい。ここで、切断手段４５としては、多層構造体の切断面が滑らかになるのであれば特に限定することなく、公知の技術手段を使用することができる。具体的には、レーザー切断機やウォータジェット切断機、などが挙げられる。
【００８８】
（ｄ）製造装置４による多層構造体の製造
図６及び図７に記載の製造装置４を使用して、多層構造体は例えば以下のような手順により製造することができる。まず、基材供給手段４３から送り出された基材１１を、回転駆動する無端ベルト４１ｂとゴムロール４１ｅとの間に挟み、幅方向の端部に突き刺さったピン４１ａによって幅方向に伸張状態を保ちながら無端ベルト４１ｂの駆動方向（図中の矢印方向）に連続的に搬送する。
【００８９】
つぎに、搬送手段４１の上流側で、連続的に搬送される基材１１上に吐出口４４からスペーサ用樹脂組成物を供給するとともに、帯状部用樹脂組成物が幅広吐出口４４から供給し、樹脂製スペーサ１２と樹脂製帯状部１３とが連続的に形成する（スペーサ付き基材形成工程、帯状部形成工程）。なお、樹脂製スペーサ１２と樹脂製帯状部１３は必ずしも同時に形成する必要はないが、同時に形成した方が作業効率がよい。
【００９０】
そして、樹脂製スペーサ１２と樹脂製帯状部１３とが形成された複数の基材（スペーサー付き基材）は、基材搬送手段４１の下流側で、スペーサ付き基材を幅方向に伸張させた状態のまま、上下の樹脂製スペーサ付き基材の間隔が狭められて、樹脂製スペーサが他の樹脂製スペーサ付き基材の基材側に接触するように連続的に積層され、長尺多層構造体となる（積層工程）。最後に、このようにして得られた長尺多層構造体が、切断手段によって所定の長さに切断されるとともに、幅方向に端縁も上下の基材幅がそろうように切断される（切断工程）ことによって、多層構造体を製造できる。
【００９１】
このように、基材搬送手段４１により伸張した状態に保ちながら、樹脂製スペーサ１２の形成や基材１１の積み重ねを行うため、基材の積層方向に正確に重ね合わせた状態で、多層構造体を連続的に製造することができる。
【００９２】
２．断熱採光材の製造方法
この発明は、前記の製造方法によって製造した多層構造体の縁部に枠体を取り付けた断熱採光材の製造方法であり、その詳細については以下に説明する。
【００９３】
（１）断熱採光材
断熱採光材５は、その外観図である図８に示すように、多層構造体１の縁部に幅方向用枠材５１及び長手方向用枠材５２をビス５３及びナット５４（挿通手段）により取り付けたものである。ここで、幅方向用枠材５１は、図８のＡ-Ａ線断面図である図９（ａ）に示すように、多層構造体１を嵌合するための断面略コ字形をした嵌合溝５１ａを有しており、その上下面には多層構造体１の位置決め孔１１ａと同じピッチでビス５３のねじ部が挿通する挿通孔５１ｂが穿設してある。
【００９４】
また、長手方向用枠材５２は、図８のＢ-Ｂ線断面図である図９（ｂ）に示すように、多層構造体１を嵌合するための断面略コ字形をした嵌合溝５２ａを有しており、嵌合溝５２ａ内には封止材料５５が充填してある。なお、封止材料５５としては、ポリオレフィン、ポリスチレン、ゴム、ポリ塩化ビニル等の樹脂発泡体、シリコン、ブチルゴム等のコーキング材料、コルク、綿、ウール等の天然充填材、及び発泡剤を含有する硬化性樹脂組成物(例えば、エポキシ系等熱硬化型硬化性樹脂組成物やウレタン系等反応型硬化性樹脂組成物等)が例示できる。
【００９５】
なお、断熱採光材は、図８に示すような縦長形状のほか、多層構造体の形状に応じて、正方形や横長形状など用途に応じて様々な形状を採ることができ、それに合わせて枠材も変更することができる。また、多層構造体１の位置決め孔１１ａの何れかとビス５３のねじ部が挿通していればよく、位置決め孔１１ａと挿通孔５１ｂは必ずしも同じピッチである必要はない。例えば、位置決め孔１１ａのピッチが20cm、挿通孔５１ｂのピッチが40cmであって、位置決め孔１１ａの半分にだけビス５３のねじ部が挿通していてもよい。さらに、多層構造体を枠材に固定する挿通手段として、前記のビス５３とナット５４の以外の金属製リベット、ホットメルト樹脂製リベット、コルク栓、木質又は紙質ピン、コーキング材、樹脂又は無機セメント等の硬化材料などを使用してもよい。
【００９６】
（２）製造方法
このような断熱採光材５の製造は、例えば、以下のような手順により行う。まず、多層構造体１の位置決め孔１１ａと前記挿通孔５１ｂとが、一致するように多層構造体１の幅方向の縁部を幅方向用枠材５１の嵌合溝５１ａに嵌合（嵌合工程）したのち、ビス５３を一方の挿通孔５１ｂから位置決め孔１１ａを通って他方の挿通孔５１ｂまで挿通させ、他方の挿通孔５１ｂに設けたナット５４と螺合させること（固着工程）によって、多層構造体１に幅方向用枠材５１を固着する。
【００９７】
つぎに、多層構造体１の長手方向の縁部を長手方向用枠材５２の嵌合溝５２ａに嵌合することによって多層構造体１に長手方向用枠材５２を取り付けたのち、嵌合溝５２ａ内に封止材料５５を充填して多層構造体１の側面を気密に封止する（封止工程）。
【００９８】
このように、この発明の断熱採光材の製造方法では、多層構造体１の製造のために穿設した位置決め孔１１ａを利用することによって、多層構造体１に幅方向用枠材５１を容易に取り付けることができる。また、この発明の断熱採光材の製造方法では、多層構造体１の長手側端部の基材間を封止することによって、空間２内の空気が長手側端部から出入りすることを防げるので、断熱効果をより高めることができる。なお、幅方向の両側に樹脂製帯状部１３が設けられていない場合は、幅方向用枠材５１の嵌合溝５１ａ内にも封止材料を充填して幅方向を封止することが好ましい。
【００９９】
以下に実施例を挙げてこの発明の態様をより詳しく説明するが、この発明はこれら実施例によって如何なる意味でも限定されるものではない。
【実施例１】
【０１００】
図５に示すような製造装置を使用して、表１に示す構成の多層構造体を製造し、この発明の方法で製造した多層構造体と従来技術で製造した多層構造体の性能の違いについて比較した。なお、基材は厚さ125μm、幅1000mm、長さ2600mmのPETフィルムを使用し、樹脂製スペーサは幅2mm、厚さ2mm、長さ1840mm、スペーサ間隔100mmとなるようにアクリル系エラストマー（スペーサ樹脂組成物）により形成した。
【０１０１】
【表１】
2008080783.tif 000003
【０１０２】
（１）実施例及び比較例の製造
まず、基材送り出し部から無孔の基材を送り出して、基材の端部を固定装置により基材固定テーブルに固定したのち、テンション負荷ロールにより幅方向に3kgfの張力を掛けながら、無孔の基材を貼付プレスロールと基材固定テーブルの間に挟んだ。
【０１０３】
つぎに、無孔の基材を貼付プレスロール（表面温度は20℃に制御）により基材固定テーブルに押しつけて、表１に示す間隔で位置決め孔を穿設しながら、移動手段が基材固定テーブルを3m/minの速度で一方向に移動させた。なお、基材固定テーブルの移動中に、195℃に調温したスペーサ樹脂組成物を9本の吐出口から基材上に吐出してスペーサを形成した。
【０１０４】
基材固定テーブルが1840mm移動したところで、基材カッターによって切断し、昇降手段が基材固定テーブルを2.125mmだけ降下させたのち、移動手段が基材固定テーブルをその開始位置に戻した。
【０１０５】
実施例１及び２、比較例２の場合は、このような樹脂製スペーサ付き基材形成工程を複数回繰り返して多層構造体を製造した。ただし、最外層の基材を固定する際には樹脂製スペーサの形成は行わなかった。また、実施例３の場合には、スペーサ付き基材形成工程により樹脂製スペーサを形成した複数のスペーサ形成済み基材の位置決め孔に位置決めピンを挿通して、各基材を均一に伸張された状態に保ちながら樹脂製スペーサが他の樹脂製スペーサ付き基材の基材に接触するように積層したのち、一括して貼り合わせることによって、多層構造体を製造した。さらに、比較例１の場合には、スペーサ付き基材形成工程を製造装置３により行うのではなく、人手で行うことによって多層構造体を製造した。
【０１０６】
（２）実施例及び比較例の評価
このようにして製造した多層構造体について、樹脂製スペーサの「ずれ」及び多層構造体に生じた「しわ」について評価した。その結果を表１に示す。なお、「ずれ」は樹脂製スペーサの幅を測定し、ずれ幅が0.5mm未満場合には良品（○）、それ以上は良品外（×）とした。また、「しわ」は多層構造体の外観を「しわ」の有無に基づいて目視により判断した。
【０１０７】
表１からも明らかなように、全ての実施例が「ずれ」及び「しわ」の何れにおいても優れた性能を示した。これに対して、比較例はそれぞれ何れかの点で問題があった。
【図面の簡単な説明】
【０１０８】
【図１】多層構造体の断面図である。
【図２】多層構造体の正面図である。
【図３】多層構造体の他の実施形態の正面図である。
【図４】多層構造体の別の実施形態の正面図である。
【図５】多層構造体を製造する製造装置の模式図である。
【図６】多層構造体を製造する他の製造装置の模式図である。
【図７】図６に記載の製造装置の模式図の続きである。
【図８】断熱採光材の外観斜視図である。
【図９】断熱採光材の断面図であり、（ａ）は図８のＡ-Ａ線断面図、（ｂ）は図８のＢ-Ｂ線断面図である。
【符号の説明】
【０１０９】
１      多層構造体
２      空間
３      製造装置
５      断熱採光材
１１    基材
１１ａ  位置決め孔
１２    樹脂製スペーサ
１３    樹脂製帯状部
３１    基材固定テーブル
３１ａ  位置決めピン
３１ｂ  固定手段
３２    吐出口
３７    幅広吐出口
４１    基材搬送手段
４２    吐出口
５１    幅方向用枠材
５１ａ  嵌合溝
５１ｂ  挿通孔
５２    長手方向用枠材
５２ａ  嵌合溝
５３    ビス
５４    ナット
５５    封止材料
【図１】
2008080783.tif 000004
【図２】
2008080783.tif 000005
【図３】
2008080783.tif 000006
【図４】
2008080783.tif 000007
【図５】
2008080783.tif 000008
【図６】
2008080783.tif 000009
【図７】
2008080783.tif 000010
【図８】
2008080783.tif 000011
【図９】
2008080783.tif 000012